(57)【要約】      （修正有）【課題】特定の周波数と異なる周波数の交番磁界と同様の効果を発生させ得る、特定の周波数の交流電流を給電する。【解決手段】給電装置１２は第１の周波数より小さい第２の周波数で出力および出力停止を交互に切替えながら給電する。第２の周波数は変更可能であり、第２の周波数による出力および出力停止の切替えの１サイクルにおける出力期間も変更可能である。さらに、第１の周波数の交流電力を、前記第１の周波数より小さい第２の周波数で出力および出力停止を交互に切替えながら、給電する電源部を有する給電装置と、電源部から出力される電力の通電により磁界を発生する電磁石とを備えるとともに、軟磁性部材によって形成され、電磁石の一部を覆うシールドを備えている。【選択図】図１
2014090744.tif 000002
【特許請求の範囲】
【請求項１】
第１の周波数の交流電力を、前記第１の周波数より小さい第２の周波数で出力および出力停止を交互に切替えながら、給電する電源部を備えることを特徴とする磁気治療器用の給電装置。
【請求項２】
請求項１に記載の給電装置であって、前記第２の周波数を変更可能であることを特徴とする給電装置。
【請求項３】
請求項１または請求項２に記載の給電装置であって、前記第２の周波数による出力および出力停止の切替えの１サイクルにおける出力期間を変更可能であることを特徴とする給電装置。
【請求項４】
請求項１から請求項３のいずれか１項に記載の給電装置と、
前記電源部から出力される電力の通電により磁界を発生する電磁石とを備える
ことを特徴とする磁気治療器。
【請求項５】
請求項４に記載の磁気治療器であって、軟磁性部材によって形成され、前記電磁石の一部を覆うシールドを、さらに備えることを特徴とする磁気治療器。
【請求項６】
請求項５に記載の磁気治療器であって、前記シールドは大きさを調整可能な開口を有することを特徴とする磁気治療器。
【発明の詳細な説明】
【技術分野】
【０００１】
本発明は、商用電源などの所定の周波数の電力の給電に対して調整した電力を電磁石に給電する給電装置および磁気治療器に関する。
【背景技術】
【０００２】
交番磁界を生体に作用させる磁気治療器が知られている（特許文献１参照）。磁気治療器において、交番磁界は電磁石に交流電流を通電させることにより発生させる。家庭用などのように使用対象が特定された磁気治療器の場合には、規制によって、電磁石への通電が許可される交流電流の周波数は、例えば商用系統の５０／６０Ｈｚなどのように特定の周波数に定められている。したがって、発生させる交番磁界の周波数も、特定の周波数となる。
【先行技術文献】
【特許文献】
【０００３】
【特許文献１】特開２０１０−３２９０２号公報
【発明の概要】
【発明が解決しようとする課題】
【０００４】
５０Ｈｚ、６０Ｈｚなどの特定の周波数の交番磁界に生体を曝すことによって装着部位のこり及び血行の改善などの治療効果が得られる。しかし、磁気治療器では、更なる効果が求められていた。
【０００５】
したがって、かかる事情に鑑みてなされた本発明の目的は、特定の周波数の交番磁界による効果と異なる治療効果が得られるように、特定の周波数の交流電流を給電する給電装置および磁気治療器を提供することにある。
【課題を解決するための手段】
【０００６】
上述した諸課題を解決すべく、第１の観点による給電装置は、
第１の周波数の交流電力を、前記第１の周波数より小さい第２の周波数で出力および出力停止を交互に切替えながら、給電する電源部を備える
ことを特徴とするものである。
【０００７】
また、第２の観点による給電装置において、
前記第２の周波数を変更可能である
ことが好ましい。
【０００８】
また、第３の観点による給電装置において、
前記第２の周波数による出力および出力停止の切替えの１サイクルにおける出力期間を変更可能である
ことが好ましい。
【０００９】
また、第４の観点による磁気治療器は、
第１の周波数の交流電力を、前記第１の周波数より小さい第２の周波数で出力および出力停止を交互に切替えながら、給電する電源部を有する給電装置と、
前記電源部から出力される電力の通電により磁界を発生する電磁石とを備える
ことを特徴とするものである。
【００１０】
また、第５の観点による磁気治療器において、
軟磁性部材によって形成され、前記電磁石の一部を覆うシールドを、さらに備える
ことが好ましい。
【００１１】
また、第６の観点による磁気治療器において、
前記シールドは大きさを調整可能な開口を有する
ことが好ましい。
【発明の効果】
【００１２】
上記のように構成された本発明に係る給電装置および磁気治療器によれば、特定の周波数と異なる周波数の交番磁界と同様の効果を発生させ得る、特定の周波数の交流電流を給電することが可能である。
【図面の簡単な説明】
【００１３】
【図１】本発明の一実施形態に係る給電装置を有する磁気治療器の概略構成を示す機能ブロック図である。
【図２】第１の方式において、電源部の出力態様を示す時間に対する交流電流のグラフである。
【図３】第２の方式において、電源部の出力態様を示す時間に対する交流電流のグラフである。
【図４】第２の方式において、第２の周波数が切替え可能であることを示す時間に対する交流電流のグラフである。
【図５】第２の方式において、１サイクルにおける交流電流の出力期間を示す時間に対する交流電流のグラフである。
【図６】図１の磁界生成ユニットの外観を示す斜視図である。
【図７】図６におけるＶＩＩ−ＶＩＩ線に沿った断面図である。
【発明を実施するための形態】
【００１４】
以下、本発明の実施形態について、図面を参照して説明する。
【００１５】
まず、本発明の一実施形態に係る磁気治療器について説明する。図１は、本実施形態に係る磁気治療器の概略構成を示す機能ブロック図である。
【００１６】
磁気治療器１０は、プラグ１１、給電装置１２、および磁界生成ユニット１３を含んで構成される。図１において、給電装置１２および磁界生成ユニット１３は分離した構成要素として表示されているが、一体化されていてもよい。
【００１７】
プラグ１１は、コンセントに接続されることにより、商用系統から、例えば５０Ｈｚまたは６０Ｈｚの第１の周波数の交流電力を受電する。
【００１８】
給電装置１２は、電源部１４、入力部１５、および制御部１６を有する。
【００１９】
電源部１４は、少なくとも第１の方式および第２の方式のいずれかによって、第１の周波数の交流電力を磁界生成ユニット１３に給電する。第１の方式においては、電源部１４は、常時、交流電力を出力して、給電する（図２参照）。第２の方式においては、電源部１４は、第２の周波数で出力および出力停止を交互に切替えながら、交流電力を給電する（図３参照）。
【００２０】
入力部１５は、使用者の磁気治療器１０への多様な入力を検出する（図１参照）。例えば、入力部１５は、磁気治療器１０の電源のＯＮ／ＯＦＦの切替え入力を検出する。また、入力部１５は、電源部１４における第１の方式および第２の方式のいずれの方式かを選択する入力を検出する。また、入力部１５は、第２の方式における第２の周波数を第１の周波数未満の範囲で変更する入力を検出可能である。また、入力部１５は、第２の方式の１サイクルにおける交流電力の出力期間を変更する入力を検出可能である。また、入力部１５は、磁気治療器１０の有する多様な治療モード、例えばうつ病治療モード、脳梗塞治療モード、糖尿病の痛みの緩解モード、および骨の形成モードを選択する入力を検出可能である。
【００２１】
制御部１６は、入力部１５が検出する入力に基づいて電源部１４の動作を制御する。例えば、制御部１６は、入力部１５が第１の方式および第２の方式のいずれかを選択する入力を検出するときに、選択に応じた方式で電源部１４に給電させる。また、制御部１６は、入力部１５が検出した変更後の値に、第２の周波数を切替えて（図４参照）、電源部１４に給電を実行させる。また、制御部１６は、入力部１５が検出した変更後の値に、出力期間を切替えて（図５参照）、電源部１４に給電を実行させる。また、制御部１６は、入力部１５が選択した治療モードに応じて予め定められている第２の周波数および１サイクルにおける出力期間で、電源部１４に給電を実行させる。
【００２２】
磁界生成ユニット１３は、図６に示すように、コア体１７、空芯コイル１８、および開口絞り１９を含んで構成される。
【００２３】
コア体１７は、珪素鋼、フェライト、パーマロイ、アモルファスなどの軟磁性部材によって形成される。図７に示すように、コア体１７は、円筒部２０、円筒部２０の一旦に形成される底部２１、および底部２１の中心から円筒部２０内の長手方向に延びる芯部２２を有する。
【００２４】
空芯コイル１８は、自身の中空内にコア体１７の芯部２２が挿入されるように取付けられる。空芯コイル１８は電源部１４から交流電力を受電する。
【００２５】
開口絞り１９は、コア体１７と同様に軟磁性部材によって形成され、開口２３の大きさを調整可能である。開口絞り１９は、コア体１７の開放された端に密着するように取付けられる。
【００２６】
芯部２２に挿入した空芯コイル１８は電磁石として機能し、電源部１４から受電する交流電力の通電により磁界を発生させる。コア体１７の円筒部２０および底部２１、ならびに開口絞り１９は電磁石の一部を覆うシールドとして機能し、電磁石の周囲に発生した磁界を制限して、開口２３から長手方向に沿った位置の磁界の磁束密度を高める。開口絞り１９の開口２３の大きさを変えることにより、磁束密度を調整することが可能である。
【００２７】
以上のような構成の本実施形態の給電装置および磁気治療器によれば、電磁石に給電する交流電力の周波数を第１の周波数に維持しながら、当該交流電力の出力および出力停止を第２の周波数で交互に切替えて給電することが可能である。したがって、交番磁界の発生に時間による変化が現れ、生体の細胞を活性化させるという新たな治療効果が得られる。
【００２８】
また、第２の周波数で、出力および出力停止を切替えるので、第２の周波数の交番磁界と同様の生体への治療効果を得ることが可能である。例えば、第２の周波数を１〜１０Ｈｚに調整するとうつ病に対する治療効果が得られ、０．１〜５Ｈｚに調整すると脳梗塞に対する治療効果が得られ、０．１〜２０Ｈｚに調整すると糖尿病による痛みを緩解可能であり、１２〜２０Ｈｚに調整すると骨の形成効果が得られる。
【００２９】
また、本実施形態の磁気治療器によれば、電磁石の周囲を円筒部２０、底部２１、および開口絞り１９により特定の方向における磁束密度を高めることが可能である。磁気治療器１０の使用時には、電磁石が発生させる磁界の全範囲において患部を曝すわけでなく、特定の一部の方向にのみ患部を曝すことが一般的である。それゆえ、本実施形態の構成によれば、磁束密度を高めた位置に患部を曝すことにより、治療効果を得るための磁界を発生させるための消費電力を低減化することが可能である。
【００３０】
また、本実施形態の磁気治療器によれば、磁束密度が大きいため、生体の表面から内部に透磁する磁束を増加させることが可能である。したがって、身体内の多様な位置にある生体組織を、前述の第２の周波数の交番磁界と同様の働きをする交番磁界に曝すことが可能なので、治療効果が向上する。
【００３１】
また、本実施形態の磁気治療器によれば、開口絞り１９の開口２３の大きさを変えることにより、磁束密度の調整および磁界を発生させる領域を調整することが可能である。
【００３２】
本発明を諸図面や実施形態に基づき説明してきたが、当業者であれば本開示に基づき種々の変形や修正を行うことが容易であることに注意されたい。従って、これらの変形や修正は本発明の範囲に含まれることに留意されたい。
【００３３】
例えば、本実施形態では、磁界生成ユニット１３に交流電力を、プラグ１１を介して商用系統から受電する構成であるが、別の電源から受電する構成であってもよい。例えば、磁気治療器１０が直流電力を放電するバッテリから電力を受電する構成であってもよい。直流電力を受電する場合には、直流電力にＤ／Ａ変換を施し、増幅および周波数を調整した交流電力を電源部１４に給電することにより、本実施形態と同様の効果を得ることが可能である。
【符号の説明】
【００３４】
１０  磁気治療器
１１  プラグ
１２  給電装置
１３  磁界生成ユニット
１４  電源部
１５  入力部
１６  制御部
１７  コア体
１８  空芯コイル
１９  開口絞り
２０  円筒部
２１  底部
２２  芯部
２３  開口
【図１】
2014090744.tif 000003
【図２】
2014090744.tif 000004
【図３】
2014090744.tif 000005
【図４】
2014090744.tif 000006
【図５】
2014090744.tif 000007
【図６】
2014090744.tif 000008
【図７】
2014090744.tif 000009
【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
第１の周波数の交流電力を、前記第１の周波数より小さい第２の周波数で出力および出力停止を交互に切替えながら、給電する電源部を備える磁気治療器用の給電装置であって、前記第２の周波数を変更可能であることを特徴とする給電装置。
【請求項２】
第１の周波数の交流電力を、前記第１の周波数より小さい第２の周波数で出力および出力停止を交互に切替えながら、給電する電源部を備える磁気治療器用の給電装置であって、前記第２の周波数による出力および出力停止の切替えの１サイクルにおける出力期間を変更可能であることを特徴とする給電装置。
【請求項３】
請求項１または２に記載の給電装置と、
前記電源部から出力される電力の通電により磁界を発生する電磁石とを備える
ことを特徴とする磁気治療器。
【請求項４】
請求項３に記載の磁気治療器であって、軟磁性部材によって形成され、前記電磁石の一部を覆うシールドを、さらに備えることを特徴とする磁気治療器。
【請求項５】
請求項４に記載の磁気治療器であって、前記シールドは大きさを調整可能な開口を有することを特徴とする磁気治療器。